(57)【特許請求の範囲】
【請求項１】
基礎の上面に柱を固定するための柱固定治具において、
前記基礎の上面に固定される第１金具と、前記柱の柱脚に取り付けられる第２金具と、これら第１金具と第２金具とを連結する連結手段とからなり、
前記第１金具は、前記基礎から突出するアンカーボルトを挿通するための挿通孔が形成された板状の第１金具本体と、この第１金具本体の上面に設けられ、前記第２金具を所定の高さに支持する支持部とを備えており、
前記第２金具は、前記第１金具本体の挿通孔と対向するボルト孔が形成された板状の第２金具本体と、この第２金具本体の上面に設けられ、前記柱脚が固定される柱脚固定部とを備えており、
前記連結手段は、前記アンカーボルトの上端部と、前記第２金具本体のボルト孔に挿通される固定ボルトの下端部とに螺合する連結用高ナットであることを特徴とする柱固定治具。
【請求項２】
請求項１に記載の柱固定治具において、
前記固定ボルトに螺合する補助ナットが、前記第２金具本体の下面側に設けられていることを特徴とする柱固定治具。
【請求項３】
請求項１または２に記載の柱固定治具において、
前記柱脚固定部は、前記柱の周方向に沿って所定間隔で配置され、かつ前記柱脚の外周部に固定される固定板を備えていることを特徴とする柱固定治具。
【請求項４】
請求項３に記載の柱固定治具において、
前記固定板は、平面視略Ｌ字状に形成されており、
前記柱脚には、平断面視略Ｌ字状の固定面を有する切欠部が形成されており、
この切欠部に前記固定板が配置されるとともに、この固定板が前記固定面に固定されていることを特徴とする柱固定治具。
【請求項５】
請求項４に記載の柱固定治具において、
前記第２金具本体に形成されたボルト孔は、平面視において前記切欠部内に位置していることを特徴とする柱固定治具。
【発明の詳細な説明】
【技術分野】
【０００１】
本発明は、基礎の上面に柱を固定するための柱固定治具に関する。
【背景技術】
【０００２】
木製の柱を基礎に固定する際、従来は、まず土台となる木材をアンカーボルトで固定し、この土台を介して基礎に柱を固定することが多い。
【０００３】
このような柱と基礎とを接合する技術については種々のものが提案されており、例えば、柱の側面に固定したホールダウン金物をアンカーボルトによって基礎に固定する技術が知られている（例えば、特許文献１参照）。
また、特許文献１に記載の技術とは異なり、柱と基礎との間に土台を介さずに、柱脚金物を基礎上に設置固定するとともに、この柱脚金物に柱の柱脚を固定することによって柱と基礎とを接合する技術も知られている（例えば、特許文献２参照）。
【特許文献１】特開２００１−２１４９１４号公報
【特許文献２】特開平１１−２００５１１号公報
【発明の開示】
【発明が解決しようとする課題】
【０００４】
ところで、地震や台風等によって建物が倒壊する際は、建物の柱、土台等の引き抜きなどが原因の一つとなる場合があった。このため、上記特許文献１および２に記載されたような技術よりも、さらに柱の固定強度を高めたり、柱脚金物（以下、柱固定治具）そのものの剛性を高めたり等が可能な技術の開発が強く望まれていた。
【０００５】
本発明の課題は、建物の基礎上に柱を強固に固定することができるとともに、高い剛性を有する柱固定治具を提供することを目的とする。
【課題を解決するための手段】
【０００６】
請求項１に記載の発明は、例えば図１および図２に示すように、基礎１の上面に柱２を固定するための柱固定治具Ａにおいて、
前記基礎１の上面に固定される第１金具１０と、前記柱２の柱脚２ａに取り付けられる第２金具２０と、これら第１金具１０と第２金具２０とを連結する連結手段とからなり、
前記第１金具１０は、前記基礎１から突出するアンカーボルト１ａを挿通するための挿通孔１１ａが形成された板状の第１金具本体１１と、この第１金具本体１１の上面に設けられ、前記第２金具２０を所定の高さに支持する支持部１２とを備えており、
前記第２金具２０は、前記第１金具本体１１の挿通孔１１ａと対向するボルト孔２１ａが形成された板状の第２金具本体２１と、この第２金具本体２１の上面に設けられ、前記柱脚２ａが固定される柱脚固定部２２とを備えており、
前記連結手段は、前記アンカーボルト１ａの上端部と、前記第２金具本体２１のボルト孔２１ａに挿通される固定ボルト２３の下端部とに螺合する連結用高ナット３０であることを特徴とする。
【０００７】
請求項１に記載の発明によれば、基礎１から突出するアンカーボルト１ａを第１金具１０の挿通孔１１ａに挿通したうえで、このアンカーボルト１ａに連結用高ナット３０を螺合して締め付けることによって第１金具１０を基礎１に強固に固定でき、第２金具２０のボルト孔２１ａに挿通された固定ボルト２３を前記連結用高ナット３０に螺合して締め付けることによって第２金具２０を第１金具１０に強固に固定できる。第２金具２０には柱脚固定部２２によって柱脚２ａが強固に固定されている。
したがって、柱２を基礎１上に強固に固定できるとともに、第１金具１０と第２金具２０とを強固に連結して一体的に基礎に固定できるので、柱固定治具Ａの剛性が高まる。
【０００８】
さらに、前記第１金具本体１１の上面に、前記第２金具２０を所定の高さに支持する支持部１２が設けられていることによって、前記第１金具本体１１と第２金具本体２１との間に前記連結用高ナット３０を挿入するためのスペースを確保することができるので、連結用高ナット３０を前記アンカーボルト１ａの上端部に螺合させやすい。
【０００９】
請求項２に記載の発明は、例えば図２に示すように、請求項１に記載の柱固定治具Ａにおいて、
前記固定ボルト２３に螺合する補助ナット２４が、前記第２金具本体２１の下面側に設けられていることを特徴とする。
【００１０】
請求項２に記載の発明によれば、前記固定ボルト２３に螺合する補助ナット２４が、前記第２金具本体２１の下面側に設けられていることから、この補助ナット２４で締め付けを行うことによって前記固定ボルト２３を前記第２金具本体２１に強固に固定することができるので、例えば外部から力を受けた際に、前記固定ボルト２３のぐらつきや変形等を防ぐことができる。
【００１１】
請求項３に記載の発明は、例えば図１および図３に示すように、請求項１または２に記載の柱固定治具Ａにおいて、
前記柱脚固定部２２は、前記柱２の周方向に沿って所定間隔で配置され、かつ前記柱脚２ａの外周部に固定される固定板２２ａを備えていることを特徴とする。
【００１２】
請求項３に記載の発明によれば、前記柱脚固定部２２は、前記柱２の周方向に沿って所定間隔で配置され、かつ前記柱脚２ａの外周部に固定される固定板２２ａを備えているので、この固定板２２ａを前記柱脚２ａの外周部に固定することによって、前記柱脚２ａを前記第２金具２０に対して確実に固定することができる。
【００１３】
請求項４に記載の発明は、例えば図１および図３に示すように、請求項３に記載の柱固定治具Ａにおいて、
前記固定板２２ａは、平面視略Ｌ字状に形成されており、
前記柱脚２ａには、平断面視略Ｌ字状の固定面３ａを有する切欠部３が形成されており、
この切欠部３に前記固定板２２ａが配置されるとともに、この固定板２２ａが前記固定面３ａに固定されていることを特徴とする。
【００１４】
請求項４に記載の発明によれば、平断面視略L字状の固定面３ａを有する切欠部３に、平面視略L字状に形成された固定板２２ａが配置されるとともに、この固定板２２ａが前記固定面３aに固定されるので、前記固定板２２ａが前記切欠部３に嵌合し、さらにこの固定板２２ａが前記固定面３ａに固定された状態となり、前記柱脚２ａを前記第２金具２０に対してより確実に固定することができる。
【００１５】
請求項５に記載の発明は、例えば図３に示すように、請求項４に記載の柱固定治具Ａにおいて、
前記第２金具本体２１に形成されたボルト孔２１ａは、平面視において前記切欠部３内に位置していることを特徴とする。
【００１６】
請求項５に記載の発明によれば、前記第２金具本体２１に形成されたボルト孔２１ａは、平面視において前記切欠部３内に位置しているので、前記固定ボルト２３を締め付けるための作業スペースを確保することができる。これによって、前記第１金具１０と第２金具２０とをより確実に、かつ強固に連結することができる。
【発明の効果】
【００１７】
本発明によれば、基礎から突出するアンカーボルトを第１金具の挿通孔に挿通したうえで、このアンカーボルトに連結用高ナットを螺合して締め付けることによって第１金具を基礎に強固に固定でき、第２金具のボルト孔に挿通された固定ボルトを前記連結用高ナットに螺合して締め付けることによって第２金具を第１金具に強固に固定できる。第２金具には柱脚固定部によって柱脚が強固に固定されている。
したがって、柱を基礎上に強固に固定できるとともに、第１金具と第２金具とを強固に連結して一体的に基礎に固定できるので、柱固定治具の剛性が高まる。
【発明を実施するための最良の形態】
【００１８】
以下、図面を参照して本発明に係る柱固定治具Ａの実施の形態について説明する。
【００１９】
本実施の形態の柱固定治具Ａは、図１に示すように、基礎１の上面に柱２を固定するためのものであり、前記基礎１の上面に固定される第１金具１０と、前記柱２の柱脚２ａに取り付けられる第２金具２０と、これら第１金具１０と第２金具２０とを連結する連結手段とからなる。
【００２０】
ここで、前記基礎１はコンクリート基礎であり、上方に突出するようにしてアンカーボルト１ａが植設されている。なお、本実施の形態において前記アンカーボルト１ａは４本植設されており、これらアンカーボルト１ａは前記第１金具１０の四隅の位置に対応して配置されている。また、このアンカーボルト１ａの本数に対応して、後述する各孔・各部材等が適宜構成されている。
【００２１】
前記柱２は木製の柱であり、例えば天然木や集成材等からなる。なお、本実施の形態においては集成材の柱を用いるものとし、柱本体２ｂは四角柱状に形成されており、柱脚２ａは所定形状に形成されている（後述する）。また、本実施の形態の柱本体２ｂは、上述のように四角柱状に形成されているが、これに限られるものではなく、例えば円柱状であっても良い。
【００２２】
なお、集成材とは、例えば輸入外国産材等のような原木を切り出すことによって得られるラミナ（ひき板）または小角材などを、繊維方向を互いにほぼ平行にし、厚さ、幅及び長さの方向に集成接着することにより、角材や厚板材として形成されたものである。
【００２３】
次に、前記第１金具１０は、図１に示すように、前記基礎１から突出するアンカーボルト１ａを挿通するための挿通孔１１ａが形成された板状の第１金具本体１１と、この第１金具本体１１の上面に設けられ、前記第２金具２０を所定の高さに支持する支持部１２とを備えている。
【００２４】
前記第１金具本体１１は、前記柱本体２ｂとほぼ同一の外郭寸法を有する四角板状のものである。また、前記挿通孔１１ａは、前記アンカーボルト１ａが植設された位置に対応するようにして第１金具本体１１に形成されている。すなわち、第１金具本体１１の四隅に形成されている。
【００２５】
前記支持部１２は、所定の高さに設定された複数の支持脚１２ａが、前記第１金具本体１１の上面において縦横に交差するようにして立設されてなり、この支持部１２上に設けられる前記第２金具２０をバランス良く支持することができるようになっている。
【００２６】
次に、前記第２金具２０は、図１に示すように、前記第１金具本体１１の挿通孔１１ａと対向するボルト孔２１ａが形成された板状の第２金具本体２１と、この第２金具本体２１の上面に設けられ、前記柱脚２ａが固定される柱脚固定部２２とを備えている。
【００２７】
前記第２金具本体２１は、前記柱本体２ｂおよび第１金具１０とほぼ同一の外郭寸法を有する四角板状のものである。また、前記ボルト孔２１ａは、上述したように前記挿通孔１１ａと対向して設けられており、すなわち、前記アンカーボルト１ａが植設された位置に対応するようにして前記第２金具本体２１の四隅に形成されている。
【００２８】
また、前記ボルト孔２１ａには、後述する固定ボルト２３が挿通されるようになっており、図２に示すように、この固定ボルト２３に螺合する補助ナット２４が、第２金具本体２１の下面側に設けられている。
すなわち、この補助ナット２４で締め付けを行うことによって前記固定ボルト２３を前記第２金具本体２１に強固に固定することができるので、例えば外部から力を受けた際に、前記固定ボルト２３のぐらつきや変形等を防ぐことができる。
【００２９】
前記柱脚固定部２２は、図１および図３に示すように、前記柱２の周方向に沿って所定間隔で配置され、かつ前記柱脚２ａの外周部に固定される固定板２２ａを備えている。
つまり、本実施の形態において、前記固定板２２ａは、平面視略Ｌ字状に形成されており、前記柱脚２ａには、平断面視略Ｌ字状の固定面３ａを有する切欠部３が形成されており、この切欠部３に前記固定板２２ａが配置されるとともに、この固定板２２ａが前記固定面３ａに固定された状態となっている。
【００３０】
これによって、前記固定板２２ａが前記切欠部３に嵌合し、さらにこの固定板２２ａが前記固定面３ａに固定された状態となるので、前記柱脚２ａを前記第２金具２０に対してより確実に固定することができるようになっている。
【００３１】
なお、前記切欠部３には、図示はしないが、この切欠部３を覆うための蓋材が設けられるようになっている。これによって、前記柱脚２ａ近傍の凹凸が減少するので、例えば前記柱２に仕上げ面材等を設けやすく、施工性の向上を図ることが可能となる。
【００３２】
また、前記固定板２２ａを固定する手段として、図１に示すように、隣り合う固定板２２ａの対向する孔部どうし（図示せず）間に挿通され、前記柱２の柱脚２ａを所定方向に貫通するようにして設けられる複数の挿通ボルト２２ｂおよび複数のナット２２ｃが挙げられる。
さらに、本実施の形態の固定手段は以上のようなものとしたが、これに限られるものではなく、柱脚固定部２２の形状や柱脚２ａの形状等に応じて適宜変更可能である。
【００３３】
一方、図３に示すように、平面視において前記切欠部３内に、前記第２金具本体２１に形成されたボルト孔２１ａが位置した状態となっている。
すなわち、上述したように前記ボルト孔２１ａは、前記アンカーボルト１ａが植設された位置に対応するように、かつ前記挿通孔１１ａと対向するようにして第２金具本体２１の四隅に形成されている。これによって、前記固定ボルト２３を締め付けるための作業スペースを確保することができるので、延いては、前記第１金具１０と第２金具２０とをより確実に、かつ強固に連結することができる。
【００３４】
なお、本実施の形態の柱脚固定部２２は以上のような構成としたが、これに限られるものではない。例えば前記柱２よりも細い柱を用いる場合には、前記第１金具本体１１や第２金具本体２１の形状や大きさを変更せずに、柱脚固定部２２の形状や大きさだけを細い柱に合わせて変更しても良く、本発明の趣旨を逸脱しない範囲で適宜変更可能である。
【００３５】
次に、前記連結手段は、図１および図２に示すように、前記アンカーボルト１ａの上端部と、前記第２金具本体２１のボルト孔２１ａに挿通される固定ボルト２３の下端部とに螺合する連結用高ナット３０である。
【００３６】
前記連結用高ナット３０は、前記支持部１２の高さよりも低い高さに設定されているとともに、前記アンカーボルト１ａの上端部と前記固定ボルト２３の下端部とに螺合可能な高さに設定されている。
すなわち、このような高さの連結用高ナット３０であれば、前記支持部１２によって前記第１金具本体１１と第２金具本体２１との間に形成された所定の高さのスペースに対して、容易に、かつ確実に挿入することができる。したがって、この連結用高ナット３０を前記アンカーボルト１ａの上端部に螺合させやすい。
【００３７】
また、この連結用高ナット３０を設ける際は、ゆるみ止めや第１金具本体１１の表面を保護する座金部材３１を介して設けるようにする。
【００３８】
以下、図面を参照して上述のような柱固定治具Ａを用いた際の基礎１と柱２との接合方法について説明する。
【００３９】
すなわち、まず、前記基礎１から突出するアンカーボルト１ａを、前記第１金具本体１１に形成された挿通孔１１ａに挿通するようにして、基礎１の上面に第１金具１０を載置する。
そして、前記挿通孔１１ａに挿通されたアンカーボルト１ａの上端部に、前記連結用高ナット３０を螺合させる。この時、第１金具本体１１と連結用高ナット３０との間には座金部材３１を設けておく。
【００４０】
次に、前記支持部１２上に第２金具２０を載置して、第２金具本体２１に形成されたボルト孔２１ａに固定ボルト２３を挿通させる。この時、第２金具本体２１の下面側には補助ナット２４を設けておき、第２金具本体２１と固定ボルト２３の頭部との間には座金部材２５を設けておく。
そして、前記固定ボルト２３を前記連結用高ナット３０に螺合して締め付けて、第１金具１０と第２金具２０とを連結する。また、前記補助ナット２４を締め付ける。
【００４１】
その後、前記第２金具本体２１の上面に設けられた柱脚固定部２２に、柱２の柱脚２ａを取り付けて固定する。すなわち、柱２の柱脚２ａに形成された切欠部３に、柱脚固定部２２の固定板２２ａを配置するとともに、この固定板２２ａを、前記挿通ボルト２２ｂを用いて前記固定面３ａに固定する。
以上のような方法によって、基礎１と柱２との接合がなされ、これにより、基礎１と柱２との接合強度を強固なものとすることが可能となる。
【００４２】
なお、本実施の形態においては、前記第１金具１０と第２金具２０とを連結してから柱脚固定部２２に柱脚２ａを固定するものとしたが、これに限られず、例えば、予め基礎１に第１金具１０を固定するとともに、柱２の柱脚２ａに第２金具２０を取り付けておき、その後、第１金具１０と第２金具２０とを連結するようにしても良い。
【００４３】
以上のように本実施の形態によれば、基礎１から突出するアンカーボルト１ａを第１金具１０の挿通孔１１ａに挿通したうえで、このアンカーボルト１ａに連結用高ナット３０を螺合して締め付けることによって第１金具１０を基礎１に強固に固定でき、第２金具２０のボルト孔２１ａに挿通された固定ボルト２３を前記連結用高ナット３０に螺合して締め付けることによって第２金具２０を第１金具１０に強固に固定できる。第２金具２０には柱脚固定部２２によって柱脚２ａが強固に固定されている。
したがって、柱２を基礎１上に強固に固定できるとともに、第１金具１０と第２金具２０とを強固に連結して一体的に基礎に固定できるので、柱固定治具Ａの剛性が高まる。
【図面の簡単な説明】
【００４４】
【図１】本発明の柱固定治具を示す斜視図である。
【図２】本発明の柱固定治具における連結手段およびその近傍を示す要部拡大図である。
【図３】柱脚固定部の一形態を示す平面図である。
【符号の説明】
【００４５】
Ａ  柱固定治具
１  基礎
２  柱
１０  第１金具
２０  第２金具
２２  柱脚固定部
３０  連結手段（連結用高ナット）
【図１】
0004778329.tif 000002
【図２】
0004778329.tif 000003
【図３】
0004778329.tif 000004